(57)【要約】      （修正有）【課題】シザーケースの収納部内面を効率的に殺菌することができる殺菌装置を提供する。【解決手段】理美容室における施術者の身体に装着して使用され施術用具を収納するための収納部１３を備えたシザーケース１１を殺菌するための装置である。シザーケース１１の収納部１３に挿入可能な殺菌ランプ２２と、該殺菌ランプ２２の基端側に設けられた持ち手２５とを備える。持ち手２５を持って、収納部１３に殺菌ランプ２２を差し込んで、紫外線を収納部１３の内部から照射して殺菌ができる。【選択図】図１
0003161212.tif 000002
【実用新案登録請求の範囲】
【請求項１】
理美容室における被施術者の身体や毛髪に触れる施術用具を収納部を備えると共に、施術者の身体に装着して使用されるシザーケースを殺菌するための装置において、
上記収納部に挿入可能な殺菌ランプと、上記殺菌ランプの基端側に設けられた持ち手とを備え、
上記持ち手を持って、上記収納部に上記殺菌ランプを差し込んで、上記収納部の内部を殺菌できるようにしたことを特徴とするシザーケース用殺菌装置。
【請求項２】
殺菌ランプは、紫外線を発するランプ本体と、上記紫外線を透過すると共に人が上記ランプ本体に直接触ることを防ぐ保護管とを備え、上記ランプ本体が上記保護管によって覆われている事を特徴とする請求項１記載の殺菌ランプ装置。
【請求項３】
上記持ち手は、上記殺菌ランプを作動させる電源用回路と、上記電源の入り切りを人が操作するスイッチとを備えていることを特徴とする請求項１記載の殺菌ランプ装置。
【請求項４】
上記持ち手は、上記殺菌ランプを作動させる電源用回路と、制御部とを備え、上記制御部は上記電源の投入後一定時間経過後に電源を切るタイマーを備えていることを特徴とする請求項１記載の殺菌ランプ装置。
【請求項５】
上記持ち手は、上記殺菌ランプを作動させる電源用回路と、制御部と、光センサとを備え、上記光センサは上記殺菌ランプと共に上記収納部内に差し込まれるものであり、
上記殺菌ランプの作動中に上記シザーケースから上記殺菌ランプが抜かれて上記光センサの受光量が増えると、上記制御部が、上記殺菌ランプを消灯させることを特徴とする請求項１記載の殺菌ランプ装置。
【請求項６】
上記電源回路は、可搬性のあるバッテリーを上記持ち手内に備えたものであることを特徴とする請求項３〜５のいずれかに記載の殺菌ランプ装置。
【考案の詳細な説明】
【技術分野】
【０００１】
本考案は、理美容室において用いられる鋏、櫛、カミソリなどの施術用具を収納して背術者の身に付けるためのシザーケースを殺菌するための装置に関するものである。
【背景技術】
【０００２】
理美容室においては、鋏、櫛、カミソリなどの被施術者の身体や毛髪に触れる施術用具を、カウンターやワゴン等に置いて使っている。しかし、利便性が悪いので腰にシザーベルトを巻きつけ、そこに設けたシザーケースに入れて使われることが多い（特許文献１参照）。
【０００３】
鋏、櫛、カミソリなどの施術用具は、使用後には、特許文献２に示されるような消毒器などで殺菌した後、シザーケースに入れて使用する。ところが、シザーケースを殺菌することが無いのが現状であるため、いくら消毒器で施術用具を殺菌しても、シザーケースに入れた段階でシザーケース内の菌によって汚染されてしまうため、事前の殺菌が無意味になってしまう。
【０００４】
特に、理美容室に設置された一般的な紫外線消毒器にてシザーケースを殺菌する場合、シザーケースの表面は殺菌出来ても、紫外線の届かない内面は殺菌できない。また、紫外線によるシザーケースの材質の劣化なども心配であり、ほとんどの理美容室では殺菌していないのが現状である。
【先行技術文献】
【特許文献】
【０００５】
【特許文献１】特開２００５−３４５５５号公報
【特許文献２】特開２０００−５２８４号公報
【考案の概要】
【考案が解決しようとする課題】
【０００６】
本考案は、シザーケースの内面を効率的に殺菌することができる殺菌装置の提供を目的とする。特に、使用する際の利便性を考慮し、シザーケースに差したまま殺菌できる殺菌装置の提供を目的とする。
【課題を解決するための手段】
【０００７】
本願の請求項１に係る考案は、理美容室における被施術者の身体や毛髪に触れる施術用具を収納部を備えると共に、施術者の身体に装着して使用されるシザーケースを殺菌するための装置において、上記収納部に挿入可能な殺菌ランプと、上記殺菌ランプの基端側に設けられた持ち手とを備え、上記持ち手を持って、上記収納部に上記殺菌ランプを差し込んで、上記収納部の内部を殺菌できるようにしたことを特徴とするシザーケース用殺菌装置を提供する。
【０００８】
本願の請求項２に係る考案は、殺菌ランプは、紫外線を発するランプ本体と、上記紫外線を透過すると共に人が上記ランプ本体に直接触ることを防ぐ保護管とを備え、上記ランプ本体が上記保護管によって覆われている事を特徴とする請求項１記載の殺菌ランプ装置を提供する。
【０００９】
本願の請求項３に係る考案は、上記持ち手は、上記殺菌ランプを作動させる電源用回路と、上記電源の入り切りを人が操作するスイッチとを備えていることを特徴とする請求項１記載の殺菌ランプ装置を提供する。
【００１０】
本願の請求項４に係る考案は、上記持ち手は、上記殺菌ランプを作動させる電源用回路と、制御部とを備え、上記制御部は上記電源の投入後一定時間経過後に電源を切るタイマーを備えていることを特徴とする請求項１記載の殺菌ランプ装置を提供する。
【００１１】
本願の請求項５に係る考案は、上記持ち手は、上記殺菌ランプを作動させる電源用回路と、制御部と、光センサとを備え、上記光センサは上記殺菌ランプと共に上記収納部内に差し込まれるものであり、上記殺菌ランプの作動中に上記シザーケースから上記殺菌ランプが抜かれて上記光センサの受光量が増えると、上記制御部が、上記殺菌ランプを消灯させることを特徴とする請求項１記載の殺菌ランプ装置を提供する。
【００１２】
本願の請求項６に係る考案は、上記電源回路は、可搬性のあるバッテリーを上記持ち手内に備えたものであることを特徴とする請求項３〜５のいずれかに記載の殺菌ランプ装置を提供する。
【考案の効果】
【００１３】
本願の請求項１に係る考案は、上記収納部に挿入可能な殺菌ランプと、上記殺菌ランプの基端側に設けられた持ち手とを備え、上記持ち手を持って、上記収納部に上記殺菌ランプを差し込んで、上記収納部の内部を殺菌できるようにしたことを特徴とするシザーケース用殺菌装置を提供するものであり、これによって、シザーケースの内面を効率的に殺菌することができるものである。
【００１４】
本願の請求項２に係る考案は、殺菌ランプは、紫外線を発するランプ本体と、上記紫外線を透過すると共に人が上記ランプ本体に直接触ることを防ぐ保護管とを備えているため、殺菌効果を大きく損なうことなく且つ安全に使用できる殺菌ランプ装置を提供することができたものである。
【００１５】
本願の請求項３に係る考案は、上記持ち手は、上記殺菌ランプを作動させる電源用回路と、上記電源の入り切りを人が操作するスイッチとを備えているため、簡単に持ち運びすることができ且つ操作することができる殺菌ランプ装置を提供し得たものである。
【００１６】
本願の請求項４に係る考案は、上記持ち手は、上記殺菌ランプを作動させる電源用回路と、制御部とを備え、上記制御部は上記電源の投入後一定時間経過後に電源を切るタイマーを備えているため、使用者は、電源を投入したままでも殺菌に必要な時間が経過すると自動的に電源が切れるため、安全且つ便利に殺菌できる殺菌ランプ装置を提供することができたものである。
【００１７】
本願の請求項５に係る考案は、記殺菌ランプの作動中に上記シザーケースから上記殺菌ランプが抜かれて上記光センサの受光量が増えると、上記制御部が、上記殺菌ランプを消灯させるものであるため、点灯状態でシザーケースより取り外されると、自動的に消灯し、紫外線による目への影響を防ぐことができる殺菌ランプ装置を提供することができたものである。
【００１８】
本願の請求項６に係る考案は、上記電源回路は、可搬性のあるバッテリーを上記持ち手内に備えたものであるため、例えば、施術中でも殺菌することができるなど、便利な殺菌ランプ装置を提供することができたものである。
【図面の簡単な説明】
【００１９】
【図１】本願考案の実施の形態に係る殺菌ランプ装置の使用状態の斜視図である。
【図２】同内部構造の説明図である。
【考案を実施するための最良の形態】
【００２０】
以下、本考案について詳細を説明する。しかし、本考案の技術的範囲は、下記実施形態によって限定されるものではない。
この実施の形態に係る殺菌装置２１は、理美容師が身体に付けて施術を行う際に使用するシザーケース１１の収納部１３の内部を殺菌するためのものである。
シザーケース１１を簡単に説明しておくと、シザーケース１１は、上部にベルト通し１２を備え、下部に収納部１３を備える。ベルト通し１２に、シザーベルト（図示せず）を通して、理美容師の腰に装着する。収納部１３は、通常複数に区分けされ、上端が開口した筒状や袋状をなす。収納部１３には、鋏、櫛、カミソリなどの被施術者の身体や毛髪に触れる施術用具（いずれも図示せず）を、挿入したり係止して収納する。
【００２１】
殺菌装置２１は、収納部１３に挿入可能な殺菌ランプ２２と、この殺菌ランプ２２の基端側に設けられた持ち手２５とを備える。殺菌ランプ２２は、殺菌作用を果たす紫外線を発するもので、持ち手２５を持って、収納部１３に差し込む。図２は差し込み途中の状態を描いたもので、殺菌ランプ２２を収納部１３内に完全に差し込んで使用することが好ましい。これによって、既存の備えつけ式の殺菌装置では殺菌が困難であった収納部１３の内部を内側から殺菌することができる。
【００２２】
殺菌ランプ２２は、紫外線を発するランプ本体２３と、ランプ本体２３から発する紫外線を透過する保護管２４とを備える。保護管２４は、殺菌ランプ２２が破損しないように殺菌ランプ２２の外側を覆うものであり、紫外線を効率よく透過できる必要がある。一般的なガラスでは紫外線を殆ど透過しないので石英管などが適当である。また、金属製や硬質合成樹脂製のメッシュや多孔板で構成することも可能である。
【００２３】
ランプ本体２３は寿命があり交換可能とする。具体的には、持ち手２５の先端開口の内部に配位されたソケット２９に着脱可能とする。また、保護管２４も、持ち手２５の先端開口に対して着脱可能となっている。
殺菌ランプ２２は、長さ６〜１０cm、直径４mm程度の管をＵ字状体にした形状が適当であるが、収納部１３に挿入できるものであればよく適宜変更して実施し得る。
【００２４】
持ち手２５は、ケーシング２６と、このケーシング２６の内部に装着された電源２７、制御部２８、ソケット２９を備える。ソケット２９は前述の通り、ケーシング２６の先端に開口しており、ランプ本体２３を受容する。電源２７は、家庭用電源等の外部電源に接続される電源用回路であってもよいが、操作性の観点からは、乾電池や充電池などの可搬性のあるバッテリーを含む電源用回路の方が有利である。制御部２８は、電源２７とソケット２９とを接続し、その電源出力を制御する。
【００２５】
この制御部２８には、電源の入り切りを人が操作するスイッチ３０と、光センサ３２とが接続されると共に、制御部２８に内臓されたタイマー（図示せず）を備えている。また、ランプ本体２３の点灯中に発光することで作動状態を表示する表示ランプ３１が接続されている。
上記のタイマーは、電源の投入後の時間を計測し、消毒に必要な一定時間（例えば２分〜３分）が経過すると、制御部２８が自動的に電源を切る。
【００２６】
上記光センサ３２は、持ち手２５の先端に設けられており、使用に際しては、殺菌ランプ２２と共に収納部１３内に差し込まれる。より詳しくは、この光センサ３２は、持ち手２５の先端側に、取付穴を設けて、この取付穴の出口よりも奥まった位置に固定するなど、殺菌ランプの光が光センサ３２に直接届くことを防ぐ手段を設けておくことにより、殺菌ランプの光による誤動作を防ぐことができる。
この光センサ３２の受光量が所定の設定値よりも大きいときに、制御部２８は電源を切る。これによって、殺菌ランプ２２の点灯作動中にシザーケース１１の収納部１３から殺菌ランプ２２が抜かれて、光センサ３２による受光量が設定値を上回ると、制御部２８がソケット２９への通電を停止させ、殺菌ランプ２２を消灯させる。これによって、点灯状態で収納部１３より殺菌ランプ２２が抜かれた場合に、殺菌ランプ２２が消灯し、紫外線による目への影響を防ぐことができる。また、使用開始時に、殺菌ランプ２２が収納部１３に収納されていない状態で、スイッチ３０を人が入れた場合、光センサ３２の受光量が所定値より大きい場合には、制御部２８は、直ちに殺菌ランプ２２を点灯させずに、収納部１３内に殺菌ランプ２２が収納された後に殺菌ランプ２２を点灯させるようにしてもよい。この制御部２８による制御方法の例としては、スイッチ３０の回路が閉じられていることと、光センサ３２の受光量が所定値より小さいことの２条件が満たされた場合にのみ、ソケット２９に通電し、殺菌ランプ２２を点灯させるような制御方法を挙げることができる。また他の例としては、制御部２８に設けられたタイマー（図示せず）によって、所定時間（例えば５秒）経過後に、再度、光センサ３２の受光量が所定値より大きか否かを判断し、所定値よりも小さくなっている場合にのみ、ソケット２９に通電し、殺菌ランプ２２を点灯させるようにする制御方法を挙げることもできる。
【００２７】
以上、この殺菌装置にあっては、シザーケース１１の収納部１３内部に、簡単な操作で紫外線を照射することができる。よって、従来の殺菌装置では困難であって、多くの理美容室では行わていなかった収納部１３内部の殺菌を実現し、理美容室の利用者の健康に大きく寄与することができるものである。
【００２８】
なお、上記の実施の形態では、１つの持ち手２５に１本の殺菌ランプ２２を取り付けたが、２本以上の殺菌ランプ２２を取り付けるようにしてもよい。また、殺菌ランプ２２は、基端から先端まで略直線状のものを例示したが、曲線状のものや環状のものなど、シザーケース１１の収納部１３の形状や大きさに応じて、種々の形状や大きさの殺菌ランプ２２を用意しておき、選択して使用できるようにしてもよい。また、人が操作するスイッチ３０を設けずに、制御部２８や光センサ３２のみで殺菌ランプ２２の点灯消灯を制御するようにしてもよい。即ち、殺菌ランプ２２を収納部１３に差し込んで、光センサ３２への受光量が低下すると、殺菌ランプ２２が点灯し、点灯後、所定時間経過するとタイマーによって殺菌ランプ２２が消灯する。そして、一旦殺菌ランプ２２を収納部１３から抜いて光センサ３２の受光量が大きくなった後、殺菌ランプ２２を収納部１３に差し込んで光センサ３２への受光量が再度低下すると、殺菌ランプ２２が点灯するといった制御を行うようにしてもよい。
【符号の説明】
【００２９】
１１シザーケース
１２ベルト通し
１３収納部
２１殺菌装置
２２殺菌ランプ
２３ランプ本体
２４保護管
２５持ち手
２６ケーシング
２７電源
２８制御部
２９ソケット
３０スイッチ
３１表示ランプ
３２光センサ
【図２】
0003161212.tif 000003
【図１】
0003161212.tif 000004